(57)【要約】【課題】表示部に設置されたバックライトを消灯させるタイミングと、操作部のロックを行うタイミングとを適切に設定可能な表示装置を提供する。【解決手段】表示装置は、例えば電話機であり、表示部と、操作部と、第１切り替え手段と、第２切り替え手段と、を備える。表示部は、第１バックライトを有する。操作部は、操作を受け付ける操作可能状態と、操作を受け付けない操作不可能状態とを有する。第１切り替え手段は、第１バックライトの点灯時に、第１所定時間幅の間、操作を検出しなかった場合、当該第１バックライトを消灯させる。第２切り替え手段は、第１バックライトが消灯した後、第２所定時間幅の間、操作を検出しなかった場合、操作部を操作不可能状態に切り替える。【選択図】図２
2011259266.tif 000002
【特許請求の範囲】
【請求項１】
第１バックライトを有する表示部と、
操作を受け付ける操作可能状態と、操作を受け付けない操作不可能状態とを有する操作部と、
前記第１バックライトの点灯時に、第１所定時間幅の間、操作を検出しなかった場合、当該第１バックライトを消灯させる第１切り替え手段と、
前記第１バックライトが消灯した後、第２所定時間幅の間、操作を検出しなかった場合、前記操作部を操作不可能状態に切り替える第２切り替え手段と、を備えることを特徴とする表示装置。
【請求項２】
請求項１に記載の表示装置を備えた電話機であり、
前記第１切り替え手段は、通話中であって、所定時間幅の間、前記操作部に対する入力を検出しなかった場合、当該第１バックライトを消灯させ、
前記第２切り替え手段は、通話中では、前記操作部を操作可能状態に維持することを特徴とする請求項１に記載の電話機。
【請求項３】
前記第１切り替え手段は、予め指定された所定の発信元から外線着信があったときには前記第１バックライトを消灯させ、前記所定の発信元以外から外線着信があったときには前記第１バックライトを点灯させ、
前記第２切り替え手段は、前記所定の発信元から外線着信があったときには前記操作部を操作不可能状態にさせ、前記所定の発信元以外から外線着信があったときには前記操作部を操作可能状態にすることを特徴とする請求項２に記載の電話機。
【請求項４】
前記操作部は、第２バックライトを有し、
前記操作部が操作可能状態の時は前記第２バックライトが点灯し、前記操作部が操作不可能状態の時には前記第２バックライトが消灯することを特徴とする請求項１に記載の表示装置。
【請求項５】
請求項４に記載の表示装置を備えることを特徴とする電話機。
【請求項６】
前記第１バックライトを点灯させ、かつ、前記操作部を操作可能状態とするボタンをさらに備えることを特徴とする請求項１または請求項４のいずれか一項に記載の表示装置。
【請求項７】
請求項６に記載の表示装置を備えることを特徴とする電話機。
【発明の詳細な説明】
【技術分野】
【０００１】
本発明は、表示部にバックライトを備える表示装置に関する。
【背景技術】
【０００２】
従来から、表示画面の背面から照明を行うバックライトを備えた表示装置が存在する。例えば、特許文献１には、表示画面の背面から照明を行う照明装置において、不要な部分に対する照明を減らすことによって、消費電力を抑制する技術が開示されている。
【先行技術文献】
【特許文献】
【０００３】
【特許文献１】特開平１１−１８４４４２号公報
【発明の概要】
【発明が解決しようとする課題】
【０００４】
一定時間操作がない場合に操作部のロックを行うロック機能を備える表示装置の場合、表示部のバックライトを消灯させるタイミングと、操作部のロックを行うタイミングとが同じタイミングに設定されることが考えられる。しかし、消費電力の抑制の観点、及び操作性の観点に鑑みると、上述の前者の適切なタイミングと後者の適切なタイミングとは必ずしも一致しない。
【０００５】
本発明は、上記のような課題を解決するためになされたものであり、表示部に設置されたバックライトを消灯させるタイミングと、操作部のロックを行うタイミングとを適切に設定可能な表示装置を提供することを目的とする。
【課題を解決するための手段】
【０００６】
請求項１に記載の発明では、表示装置は、第１バックライトを有する表示部と、操作を受け付ける操作可能状態と、操作を受け付けない操作不可能状態とを有する操作部と、前記第１バックライトの点灯時に、第１所定時間幅の間、操作を検出しなかった場合、当該第１バックライトを消灯させる第１切り替え手段と、前記第１バックライトが消灯した後、第２所定時間幅の間、操作を検出しなかった場合、前記操作部を操作不可能状態に切り替える第２切り替え手段と、を備える。
【図面の簡単な説明】
【０００７】
【図１】本実施例に係る電話機の概略構成図である。
【図２】第１制御に係る制御部の処理手順を示すフローチャートである。
【図３】第２制御に係る制御部の処理手順を示すフローチャートである。
【図４】第３制御に係る制御部の処理手順を示すフローチャートである。
【発明を実施するための形態】
【０００８】
本発明の１つの観点では、表示装置は、第１バックライトを有する表示部と、操作を受け付ける操作可能状態と、操作を受け付けない操作不可能状態とを有する操作部と、前記第１バックライトの点灯時に、第１所定時間幅の間、操作を検出しなかった場合、当該第１バックライトを消灯させる第１切り替え手段と、前記第１バックライトが消灯した後、第２所定時間幅の間、操作を検出しなかった場合、前記操作部を操作不可能状態に切り替える第２切り替え手段と、を備える。
【０００９】
上記の表示装置は、例えば電話機であり、表示部と、操作部と、第１切り替え手段と、第２切り替え手段と、を備える。表示部は、第１バックライトを有する。操作部は、操作を受け付ける操作可能状態と、操作を受け付けない操作不可能状態とを有する。第１切り替え手段は、第１バックライトの点灯時に、第１所定時間幅の間、操作を検出しなかった場合、当該第１バックライトを消灯させる。第２切り替え手段は、第１バックライトが消灯した後、第２所定時間幅の間、操作を検出しなかった場合、操作部を操作不可能状態に切り替える。このように、表示装置は、表示部のバックライトを消灯させるタイミングを、操作部のロックを行うタイミングより早めることで、不要なバックライトの点灯に伴う消費電力の抑制を実現することができる。また、表示装置は、操作部のロックを行うタイミングを個別に設定することで、操作性の向上を実現させることができる。
【００１０】
上記の表示装置の一態様では、請求項１に記載の表示装置を備えた電話機であり、前記第１切り替え手段は、通話中であって、所定時間幅の間、前記操作部に対する入力を検出しなかった場合、当該第１バックライトを消灯させ、前記第２切り替え手段は、通話中では、前記操作部を操作可能状態に維持する。このように、電話機は、通話中であっても、表示を強調する必要がないと判断されるタイミングで第１バックライトを消灯することで、消費電力を抑制することができる。
【００１１】
上記の表示装置の他の一態様では、請求項１に記載の表示装置を備えた電話機であり、
前記第１切り替え手段は、予め指定された所定の発信元から外線着信があったときには前記第１バックライトを消灯させ、前記所定の発信元以外から外線着信があったときには前記第１バックライトを点灯させ、前記第２切り替え手段は、前記所定の発信元から外線着信があったときには前記操作部を操作不可能状態にさせ、前記所定の発信元以外から外線着信があったときには前記操作部を操作可能状態にする。「予め指定された所定の発信元」とは、例えば使用者が迷惑電話の可能性が高い発信元として表示装置に予め登録した発信元が該当する。このようにすることで、表示装置は、迷惑電話等の場合に第１バックライトを消灯すると共に操作部をロックすることで、使用者に不当に不快感を与えるのを防ぐとともに、誤操作により応答するのを防ぐことができる。
【００１２】
上記の表示装置の他の一態様では、前記操作部は、第２バックライトを有し、前記操作部が操作可能状態の時は前記第２バックライトが点灯し、前記操作部が操作不可能状態の時には前記第２バックライトが消灯する。このように、表示装置は、操作部のバックライトの点灯時には操作部を操作可能にすることで、使用者の操作性を向上させることができる。好適には、上記の表示装置は、電話機に搭載される。
【００１３】
上記の表示装置の他の一態様では、前記第１バックライトを点灯させ、かつ、前記操作部を操作可能状態とするボタンをさらに備える。このようにすることで、使用者は、任意のタイミングで操作部のロックを解除することができる。好適には、上記の表示装置は、電話機に搭載される。
【実施例】
【００１４】
以下、図面を参照して本発明の好適な実施形態について説明する。
【００１５】
［概略構成］
図１は、各実施形態に共通した電話機１００の概略構成の一例を示す。電話機１００は、本発明における「表示装置」の一例であり、主に、表示部１１と、操作部１２と、回線制御部１３と、メモリ部１４と、制御部１０と、を備える。
【００１６】
表示部１１は、例えば液晶ディスプレイ（ＬＣＤ：Ｌｉｑｕｉｄ  Ｃｒｙｓｔａｌ  Ｄｉｓｐｌａｙ）を有し、制御部１０の制御に基づき、操作部１２により入力されたデータや、時刻等の所定の情報を表示する。また、表示部１１は、背面からディスプレイを照明する第１バックライト２１を備える。第１バックライト２１は、制御部１０の制御に基づき、照明のオン（点灯）と照明のオフ（消灯）とが切り換えられる。
【００１７】
操作部１２は、電話番号の指定や電話機１００の各種設定を受け付ける操作領域を有する。操作部１２は、操作領域に対応して設置されるタッチパネルと、当該タッチパネルを背面から照明する第２バックライト２２とを備える。第２バックライト２２は、制御部１０の制御に基づき、照明のオン（点灯）と照明のオフ（消灯）とが切り換えられる。また、操作部１２は、制御部１０の制御に基づき、操作がされない状態（以後、「無操作状態」とも呼ぶ。）が所定時間幅継続した場合に、使用者による入力の無効化（以後、単に「ロック」とも呼ぶ。）のオン又はオフの切り替えが行われる。ここで、「無操作状態」とは、具体的には、操作部１２への入力、通話中における図示しない受話器への音声入力、受話器を電話機１００の本体から取る又は置く操作に対応して切り替わるフックスイッチの状態変化等が検出されない状態、即ち操作状態でない状態を指す。
【００１８】
回線制御部１３は、親機１と電話回線網との通話接続を制御する。メモリ１４は、例えばＲＡＭ（Ｒａｎｄｏｍ  Ａｃｃｅｓｓ  Ｍｅｍｏｒｙ）またはＲＯＭ（Ｒｅａｄ  Ｏｎｌｙ  Ｍｅｍｏｒｙ）であり、例えば制御部１０が所定の動作を行う際の制御プログラムを記憶する。
【００１９】
制御部１０は、例えばＣＰＵ（Ｃｅｎｔｒａｌ  Ｐｒｏｃｅｓｓｉｎｇ  Ｕｎｉｔ）であり、電話機１００の全般的な制御を行う。例えば、制御部１０は、第１バックライト２１及び第２バックライト２２の点灯と消灯とを所定のタイミングで切り替えると共に、操作部１２に対するロックのオンとオフとを所定のタイミングで切り替える。このように、制御部１０は、本発明における第１切り替え手段及び第２切り替え手段として機能する。
【００２０】
また、電話機１００は、操作部１２とは別に、ロックを解除するためのボタン（以後、「ロック解除ボタン」とも呼ぶ。）を備える。このロック解除ボタンは、ロックがオンの場合であっても、使用者の入力を有効に受け付ける。制御部１０は、ロック解除ボタンが押下された場合の他、受話器が電話機１００の本体から外された場合など、所定の操作を検知した場合、操作部１２のロックをオンからオフに切り換える。なお、以後では、操作部１２のロックがオンの場合を「操作不可能状態」と呼び、ロックがオフの場合を「操作可能状態」と呼ぶ。
【００２１】
［制御方法］
次に、制御部１０が実行する制御方法について説明する。概略的には、制御部１０は、無操作状態が継続した場合に、第１バックライト２１が消灯するタイミングと、操作部１２が操作不可能状態に遷移するタイミングとを異ならせる。また、制御部１０は、操作部１２の操作可能状態から操作不可能状態への切り替えと、第２バックライト２２の点灯から消灯への切り替えとを同期させる。これにより、制御部１０は、不要な電力消費を抑制すると共に操作性を向上させる。
【００２２】
以下、この具体例である第１制御乃至第３制御について詳細に説明を行う。なお、第１制御乃至第３制御は、任意に組み合わせて実行されてもよい。
【００２３】
（第１制御）
第１制御では、制御部１０は、無操作状態が継続した場合、無操作状態の開始時から第１バックライト２１を消灯させるまでの時間幅（「第１時間幅Ｔｗ１」と呼ぶ。）を、無操作状態の開始時から操作部１２を操作不可能状態に切り替えるまでの時間幅（「第２時間幅Ｔｗ２」と呼ぶ。）よりも短くする。これにより、第１バックライト２１の点灯時間を削減し、不要な電力消費を抑制する。
【００２４】
これについて具体的に説明する。まず、制御部１０は、操作部１２への入力がされている場合などの操作状態では、第１及び第２バックライト２１、２２を点灯させると共に、操作部１２を操作可能状態に保つ。そして、制御部１０は、無操作状態になった場合に、起動後の時間幅を計測することで当該時間幅が第１時間幅Ｔｗ１に達するか否かを検出する処理ルーチン（「第１タイマー」と呼ぶ。）を起動する。これにより、制御部１０は、無操作状態の継続時間幅が第１時間幅Ｔｗ１に達するか否か監視する。ここで、第１時間幅Ｔｗ１は、第２時間幅Ｔｗ２よりも短い時間幅に設定され、例えば無操作状態で第１バックライト２１を継続して点灯させる必要がある時間幅に実験等に基づき設定される。また、これに加え、制御部１０は、無操作状態になった場合に、起動後の時間幅を計測することで当該時間幅が第２時間幅Ｔｗ２に達するか否かを検出する処理ルーチン（「第２タイマー」と呼ぶ。）を起動する。これにより、制御部１０は、無操作状態の継続時間幅が第２時間幅Ｔｗ２に達するか否か監視する。ここで、第２時間幅Ｔｗ２は、第１時間幅Ｔｗ１よりも長い時間幅に設定され、例えば無操作状態で操作部１２を操作可能状態に設定する必要がある時間幅に実験等に基づき設定される。
【００２５】
そして、制御部１０は、第１タイマーの起動後、無操作状態のまま第１時間幅Ｔｗ１経過した（以後、「第１タイマーが満了した」とも表現する。）と判断した場合、第１バックライト２１を消灯させる。これにより、制御部１０は、第１バックライト２１を点灯させて表示部１１の表示を強調する必要性は低いが、操作部１２への入力が行われる可能性がある時間帯に、操作部１２をロックする前に第１バックライト２１を消灯させることができる。従って、制御部１０は、不要な第１バックライト２１の点灯に伴う消費電力を抑制することができる。なお、この場合であっても、制御部１０は、表示部１１のディスプレイに表示中の文字等は継続して表示させる。
【００２６】
さらに、制御部１０は、第２タイマーの起動後、無操作状態のまま第２時間幅Ｔｗ２経過した（以後、「第２タイマーが満了した」とも表現する。）と判断した場合、操作部１２を操作不可能状態にすると共に、第２バックライト２２を消灯させる。このように、制御部１０は、第２バックライト２２の消灯のタイミングと、操作部１２を操作不可能状態にするタイミングとを同期させることで、第２バックライト２２の点灯時には常に操作部１２を操作可能状態にすることができ、操作性を向上させることができる。
【００２７】
また、制御部１０は、操作部１２からの入力、その他使用者の操作を検出した場合、第１タイマー及び第２タイマーを再起動し、無操作状態の継続時間幅を再計測する。また、制御部１０は、このとき、第１バックライト２１が消灯していた場合には、第１バックライト２１を点灯させる。また、このとき、制御部１０は、さらに操作部１２が操作不可能状態であった場合には、例えば、ロック解除ボタンが押下されるか、その他所定の操作がなされるまで、操作部１２のロックを解除しない。
【００２８】
次に、第１制御の具体的な処理手順について図２を参照して説明する。図２は、第１制御の処理手順を示すフローチャートの一例である。制御部１０は、図２に示すフローチャートの処理を、通話等の所定の操作の終了を検出した場合に実行する。
【００２９】
まず、制御部１０は、操作状態から無操作状態へ遷移したことを検出後、待機画面を表示部１１に表示させると共に、第１タイマー及び第２タイマーを起動する（ステップＳ１００）。これにより、制御部１０は、無操作状態の継続時間幅が第１時間幅Ｔｗ１に達するか否か、及び当該継続時間幅が第２時間幅Ｔｗ２に達するか否か判断する。ここでは、制御部１０は、一例として、第１時間幅Ｔｗ１を３０秒、第２時間幅Ｔｗ２を６０秒に設定する。
【００３０】
次に、制御部１０は、無操作状態か否か判定する（ステップＳ１０１）。そして、制御部１０は、無操作状態であると判断した場合（ステップＳ１０１；Ｙｅｓ）、第１タイマーが満了したか否か判定する（ステップＳ１０２）。即ち、制御部１０は、無操作状態の継続時間幅が第１時間幅Ｔｗ１（ここでは３０秒）に達したか否か判定する。そして、制御部１０は、第１タイマーが満了したと判断した場合（ステップＳ１０２；Ｙｅｓ）、第１バックライト２１を消灯させる（ステップＳ１０３）。このように、制御部１０は、第１バックライト２１の消灯のタイミングを、操作部１２を操作不可能状態に設定するタイミングより早くすることで、消費電力を抑制することができる。一方、制御部１０は、第１タイマーが満了していないと判断した場合（ステップＳ１０２；Ｎｏ）、ステップＳ１０１へ処理を戻す。
【００３１】
次に、制御部１０は、ステップＳ１０３の実行後、第２タイマーが満了したか否か判定する（ステップＳ１０４）。即ち、制御部１０は、無操作状態の継続時間幅が第２時間幅Ｔｗ２（ここでは６０秒）に達したか否か判定する。そして、制御部１０は、第２タイマーが満了したと判断した場合（ステップＳ１０４；Ｙｅｓ）、第２バックライト２２を消灯させる（ステップＳ１０５）。さらに、制御部１０は、操作部１２を操作不可能状態に設定する（ステップＳ１０６）。
【００３２】
一方、制御部１０は、無操作状態でないと判断した場合（ステップＳ１０１；Ｎｏ）、即ち使用者により操作がなされている操作状態であると判断した場合、第１タイマーを再起動する（ステップＳ１０７）と共に、第２タイマーを再起動する（ステップＳ１０８）。また、制御部１０は、ステップＳ１０３の処理により第１バックライト２１が消灯していた場合には、第１バックライト２１を点灯させる。
【００３３】
（第２制御）
第２制御では、制御部１０は、第１制御に加え、又は、これに代えて、通話中の場合、第２バックライト２２を常時点灯状態かつ操作部１２を常時操作可能状態にすると共に、操作部１２への入力が第１時間幅Ｔｗ１継続してない場合には、第１バックライト２１を消灯させる。これにより、通話中での消費電力を抑制する。
【００３４】
これについて補足説明する。一般に、通話中では、操作部１２からの操作を受け付ける必要性があるものの、当該操作が行われていない状態が一定時間幅継続した場合には第１バックライト２１により表示部１１の表示を強調する必要性が低い。以上を勘案し、制御部１０は、通話中では、第２バックライト２２を常時点灯状態かつ操作部１２を常時操作可能状態にすると共に、第１タイマーを起動させ、無操作状態が第１時間幅Ｔｗ１継続した場合には第１バックライト２１を消灯させる。これにより、制御部１０は、通話中での消費電力を抑制することができる。
【００３５】
次に、第２制御の処理手順について、図３を参照して説明する。図３は、第２制御で制御部１０が実行する処理手順を示すフローチャートの一例である。制御部１０は、図３に示すフローチャートの処理を、通話を開始した場合に実行する。
【００３６】
まず、制御部１０は、通話画面を表示部１１に表示させると共に、第１タイマーを起動する（ステップＳ２００）。これにより、制御部１０は、第１バックライト２１を消灯すべきか否かのタイミングを的確に計測する。ここでは、制御部１０は、一例として、第１時間幅Ｔｗ１を３０秒に設定する。
【００３７】
次に、制御部１０は、無操作状態か否か判定する（ステップＳ２０１）。そして、制御部１０は、無操作状態であると判断した場合（ステップＳ２０１；Ｙｅｓ）、第１タイマーが満了したか否か判定する（ステップＳ２０２）。そして、制御部１０は、第１タイマーが満了したと判断した場合（ステップＳ２０２；Ｙｅｓ）、即ち、通話中の無操作状態の継続時間幅が第１時間幅Ｔｗ１に達したと判断した場合、第１バックライト２１を消灯する（ステップＳ２０３）。これにより、制御部１０は、通話中における不要な電力消費を抑制することができる。一方、制御部１０は、第１タイマーが満了しないと判断した場合（ステップＳ２０２；Ｎｏ）、ステップＳ２０５へ処理を進める。
【００３８】
一方、制御部１０は、無操作状態ではないと判断した場合（ステップＳ２０１；Ｎｏ）、第１タイマーを再起動する（ステップＳ２０４）。即ち、制御部１０は、再び無操作状態の継続時間幅の再計測を開始する。
【００３９】
次に、ステップＳ２０５で、制御部１０は、通話が終了したか否か判定する（ステップＳ２０５）。そして、制御部１０は、通話が終了したと判断した場合（ステップＳ２０５；Ｙｅｓ）、フローチャートの処理を終了する。一方、制御部１０は、通話が終了していないと判断した場合（ステップＳ２０５；Ｎｏ）、再びステップＳ２０１に戻り、無操作状態か否か判定を行う。
【００４０】
（第３制御）
第３制御では、制御部１０は、他の電話機からの外線着信が、ガードすべき所定の着信（「迷惑電話」とも呼ぶ。）に該当するか否か判定を行い、当該判定結果に基づき第１、第２バックライト２１、２２を点灯すべきか否か、及び、操作部１２のロックをすべきか否かを決定する。
【００４１】
これについて具体的に説明する。制御部１０は、外線着信があった場合、当該外線着信の発信元情報に基づき、迷惑電話であるか否か判定する。ここで、「発信元情報」とは、具体的には、発信元の電話番号や非通知着信か否か等の発信元に属する情報を指す。そして、制御部１０は、発信元情報が予め使用者により指定された発信元情報の場合、例えば発信元情報が非通知着信の場合又は予め指定された電話番号に該当する場合、当該外線着信は迷惑電話であると判断する。
【００４２】
そして、制御部１０は、外線着信が迷惑電話であると判断した場合、使用者は表示部１１の表示を閲覧したくないと判断し、第１バックライト２１を消灯させると共に、誤操作を防ぐために操作部１２を操作不可能状態に設定する。また、制御部１０は、着信音を消音する、又は留守である旨の音声案内を再生する等の迷惑電話に対する所定のガード動作を行う。
【００４３】
一方、外線着信が迷惑電話ではない着信（通常着信）の場合、発信元情報を使用者に明確に通知するために第１バックライト２１を点灯させると共に、外線応答等を可能にするために第２バックライト２２を点灯させ、かつ、操作部１２を操作可能状態にする。
【００４４】
これにより、制御部１０は、迷惑電話であるか否かに応じて第１、第２バックライト２１、２２を点灯すべきか否か、及び、操作部１２のロックをすべきか否かを使用者の意図に即して適切に定め、操作性を向上させることができる。
【００４５】
次に、第３制御の処理手順について、図４を参照して説明する。図４は、第３制御で制御部１０が実行する処理手順を示すフローチャートの一例である。制御部１０は、図４に示すフローチャートの処理を、他の電話機からの外線着信を受信した場合に実行する。
【００４６】
まず、制御部１０は、受信した外線着信が迷惑電話であるか否か判定する（ステップＳ３００）。そして、制御部１０は、外線着信が迷惑電話である場合（ステップＳ３００；Ｙｅｓ）、第１バックライト２１を消灯させる（ステップＳ３０１）。これにより、制御部１０は、使用者の意図に即して、迷惑電話である場合の発信元情報を積極的に使用者に提示するのを防ぐことができる。そして、制御部１０は、迷惑電話へのガード動作中である旨の画面表示を行う（ステップＳ３０２）。次に、制御部１０は、第２バックライト２２を消灯させる（ステップＳ３０３）と共に、操作部１２を操作不可能状態に設定する（ステップＳ３０４）。即ち、この場合、制御部１０は、使用者が迷惑電話に応答する必要性がないと判断し、誤操作により誤って迷惑電話に応答しないように、上述の制御を行う。
【００４７】
一方、制御部１０は、受信した外線着信が迷惑電話ではないと判断した場合（ステップＳ３００；Ｎｏ）、第１バックライト２１を点灯させる（ステップＳ３０５）。これにより、制御部１０は、表示部１１を照明し、ステップＳ３０６で表示させる表示部１１の表示内容を明確に使用者に提示する。そして、制御部１０は、着信中である旨の画面表示を行う（ステップＳ３０６）。具体的には、制御部１０は、発信元情報、例えば発信元の電話番号及びこれに関連付けて記憶された名前などの情報を表示部１１に表示させる。次に、制御部１０は、第２バックライト２２を点灯させる（ステップＳ３０７）と共に、操作部１２を操作可能状態に設定する（ステップＳ３０８）。これにより、制御部１０は、操作部１２による外線着信の応答を可能にすることができる。
【００４８】
以上説明したように、本発明に係る電話機１００は、第１バックライト２１を有する表示部１１と、操作を受け付ける操作可能状態と、操作を受け付けない操作不可能状態とを有する操作部１２と、第１バックライト２１の点灯時に、第１時間幅Ｔｗ１の間、操作を検出しなかった場合、当該第１バックライト２１を消灯させる第１切り替え手段と、操作可能状態から第２時間幅Ｔｗ２の間、操作を検出しなかった場合、操作部１２を操作不可能状態に切り替える第２切り替え手段と、を備え、第１時間幅Ｔｗ１と、第２時間幅Ｔｗ２とが異なる時間幅に設定される。これにより、電話機１００は、不要なバックライトの点灯に伴う消費電力の抑制を実現すると共に、操作部１２のロックを行うタイミングとを個別に設定することで、操作性の向上を実現させることができる。
［変形例］
次に、上述の実施例の変形例について説明する。以下に示す変形例は、任意に組み合わせて上述の実施例に適用してもよい。
【００４９】
（変形例１）
上述の第１制御乃至第３制御に加えて、制御部１０は、所定のタイミングに基づき、表示部１１の表示のオン又はオフを切り替えてもよい。例えば、制御部１０は、第３制御に基づき、外線着信が迷惑電話であると判断したとき、第１バックライト２１を消灯させると同時に表示部１１の表示もオフにしてもよい。これにより、制御部１０は、使用者への不要な情報の提示を抑制すると共に、さらなる省電力化を実現することができる。
【００５０】
（変形例２）
第３制御では、制御部１０は、外線着信が迷惑電話であると判断した場合、第１バックライト２１を消灯させた。しかし、本発明が適用可能な方法は、これに限定されない。これに代えて、制御部１０は、外線着信が迷惑電話であると判断した場合であっても、当該迷惑電話が、非通知着信か、または使用者が予め指定した特定の電話番号か、を通知するために、第１バックライト２１を点灯させてもよい。
【００５１】
（変形例３）
上述の第１制御では、制御部１０は、第１時間幅Ｔｗ１を第２時間幅Ｔｗ２よりも短く設定した。しかし、本発明が適用可能な方法は、これに限定されない。これに代えて、制御部１０は、第１時間幅Ｔｗ１を第２時間幅Ｔｗ２よりも長く設定してもよい。この場合であっても、制御部１０は、第１時間幅Ｔｗ１と第２時間幅Ｔｗ２とを異なる値に設定可能にすることで、第１バックライト２１を消灯するタイミングと、第２バックライト２２の消灯及び操作部１２の操作不可能状態を実行するタイミングとをそれぞれ適したタイミングに設定することができる。
【００５２】
（変形例４）
第２制御では、制御部１０は、第１制御と同様、第１時間幅Ｔｗ１に基づき、通話中に第１バックライト２１を消灯すべきか否か判断した。これに代えて、制御部１０は、第２制御において、第１制御で使用する第１時間幅Ｔｗ１とは異なる長さの時間幅に基づき第１バックライト２１を消灯すべきか否か判断してもよい。
【符号の説明】
【００５３】
１１  表示部
１２  操作部
１３  回線制御部
１４  メモリ部
２１  第１バックライト
２２  第２バックライト
１００  電話機
【図１】
2011259266.tif 000003
【図２】
2011259266.tif 000004
【図３】
2011259266.tif 000005
【図４】
2011259266.tif 000006